(57)【特許請求の範囲】
【請求項１】
医療用管具の端部に設けられ、他の医療用管具の端部に接続される医療用コネクタであって、前記他の医療用管具の端部に形成された雌管部が外嵌され先端部がテーパ状に形成された雄管部と、該雄管部を内挿し該雄管部に対して回転自在に設けられた筒状体と、該雄管部の外周面に設けられ該筒状体が該雄管部から抜け落ちることを防止するように径方向外方に張り出す張出部とを備え、該筒状体の内周面に雌ネジを形成し、前記他の医療用管具の雌管部が前記雄管部に外嵌した状態で、前記筒状体を回転して前記雌ネジを前記雌管部の外周面に形成された雄ネジと螺合させることにより、前記医療用管具と前記他の医療用管具との接続を維持するようにロックするものにおいて、
前記雄管部の外周面に配置され、前記雄管部に前記他の医療用管具の雌管部を外嵌し前記雌ネジを前記雄ネジに螺合させてロックした状態で、前記筒状体の基端に接触し該筒状体の基端側への移動を阻止自在な阻止手段を備えることを特徴とする医療用コネクタ。
【請求項２】
前記阻止手段は、前記筒状体の基端を先端側に押圧するように接触自在に構成され、
前記阻止手段の押圧により前記阻止手段と前記張出部とで前記筒状体を挟み込んで前記筒状体の回転を抑制することを特徴とする請求項１記載の医療用コネクタ。
【発明の詳細な説明】
【技術分野】
【０００１】
本発明は、医療用チューブや三方活栓等の管具の端部に設けられる医療用コネクタに関する。
【背景技術】
【０００２】
従来、医療用管具としての医療用チューブや三方活栓等の端部に設けられた医療用コネクタであって、他の医療用チューブや三方活栓等の端部に接続されるものが知られている。
【０００３】
医療用コネクタは、他の医療用チューブ等の端部に形成された雌管部が外嵌され先端部がテーパ状に形成された雄管部と、雄管部を内挿し雄管部に対して回転自在に設けられた筒状体と、雄管部の外周面に設けられ筒状体が雄管部から抜け落ちることを防止するように径方向外方に張り出す張出部と、筒状体の内周面に形成された雌ネジとを備える。
【０００４】
そして、医療用コネクタの雄管部に他の医療用チューブ等の雌管部を外嵌させて医療用コネクタに他の医療用チューブ等を接続し、筒状体を回転して他の医療用チューブ等の外周面に形成された雄ネジに筒状体の雌ネジを螺合させることにより、医療用コネクタと他の医療用チューブ等との接続を維持するようにロックする。
【０００５】
しかしながら、従来の医療用コネクタでは、外部からの衝撃により筒状体が回転して雄管部の基端側に移動することによりロックが緩み、最悪の場合、医療用コネクタから他の医療用チューブ等が外れてしまう虞がある。このため、医療従事者は常にロックが緩んでいないかどうかの確認を行う必要があり、面倒であった。
【０００６】
これを回避すべく、雄管部の外周面であって張出部よりも基端側に第２の雄ネジを形成し、張出部と第２の雄ネジとの間に周方向に延びる環状の溝部を設け、筒状体の内周面であって雌ネジよりも基端側に第２の雄ネジ部に螺合する第２の雌ネジを形成すると共に第２の雌ネジの先端側に位置させて径方向内方に突出する凸部を形成したものも知られている（例えば、特許文献１参照）。
【０００７】
これによれば、ロックする際には、筒状体を回転させて凸部が第２の雄ネジを乗り越えながら第２の雌ネジが第２の雄ネジに螺合しつつ先端側に移動する。そして、凸部が溝部に係合することにより、筒状体が基端側に移動することが阻止される。筒状体は基端側に移動できなければ、第２の雌ネジと第２の雄ネジとの螺合により回転することができない。従って、上記の如く構成することにより、筒状体によるロックの緩みを防止することができる。
【０００８】
しかしながら、この構成では、凸部が溝部に嵌合する前に第２の雌ネジを乗り越える必要があるため、凸部と第２の雌ネジとの間で摩擦力が発生し、筒状体を回し難く操作性が悪いという問題があった。
【特許文献１】実用新案登録第３１０８８２５号公報
【発明の開示】
【発明が解決しようとする課題】
【０００９】
本発明は、以上の点に鑑み、ロックの緩みを防止すると共に、操作性を向上させた医療用コネクタを提供することを目的とする。
【課題を解決するための手段】
【００１０】
上記目的を達成するため、本発明は、医療用管具の端部に設けられ、他の医療用管具の端部に接続される医療用コネクタであって、前記他の医療用管具の端部に形成された雌管部が外嵌され先端部がテーパ状に形成された雄管部と、該雄管部を内挿し該雄管部に対して回転自在に設けられた筒状体と、該雄管部の外周面に設けられ該筒状体が該雄管部から抜け落ちることを防止するように径方向外方に張り出す張出部とを備え、該筒状体の内周面に雌ネジを形成し、前記他の医療用管具の雌管部が前記雄管部に外嵌した状態で、前記筒状体を回転して前記雌ネジを前記雌管部の外周面に形成された雄ネジと螺合させることにより、前記医療用管具と前記他の医療用管具との接続を維持するようにロックするものにおいて、前記雄管部の外周面に配置され、前記雄管部に前記他の医療用管具の雌管部を外嵌し前記雌ネジを前記雄ネジに螺合させてロックした状態で、前記筒状体の基端に接触し該筒状体の基端側への移動を阻止自在な阻止手段を備えることを特徴とする。
【００１１】
かかる構成によれば、前記阻止手段により前記筒状体の基端側への移動を阻止しているため、前記筒状体が回転しながら基端側に移動しロックが緩むことを防止することができる。
【００１２】
また、前記阻止手段により前記筒状体の基端側への移動を阻止しているため、従来品のように凸部と第２の雄ネジと溝部とを設ける必要がない。このため、従来品のように凸部と第２の雄ネジとの間で摩擦力が発生することも無く、容易に前記筒状体を回転することができ、操作性を向上させることができる。
【００１３】
また、前記阻止手段は、前記筒状体の基端を先端側に押圧するように接触自在に構成され、前記阻止手段の押圧により前記阻止手段と前記張出部とで前記筒状体を挟み込んで前記筒状体の回転を抑制することが好ましい。
【００１４】
外部からの強い衝撃により前記筒状体が回転してしまうと、前記筒状体が前記雄管部の基端側に移動しなくても、前記雌ネジが前記他の医療用管具の雄ネジを互いに離隔する方向に押圧し、前記雄管部と前記雌管部との嵌合が緩む虞もある。
【００１５】
この場合、上記の如く構成すれば、前記筒状体の回転を抑制し、前記雄管部と前記他の医療用管具の雌管部との嵌合が緩むことを抑制することができる。
【発明を実施するための最良の形態】
【００１６】
本発明の実施の形態を図１から図５を参照して説明する。図１は本発明の医療用コネクタの第１実施形態を一部断面で示す正面図、図２は第１実施形態の医療用コネクタを示す平面図、図３は本発明の医療用コネクタの第２実施形態を示す平面図、図４は第２実施形態の医療用コネクタを一部断面で示す正面図、図５は第２実施形態の医療用コネクタの阻止手段を示す斜視図である。
【００１７】
図１に示すように、本発明の第１実施形態の医療用コネクタ１０は、三方活栓２の一端に設けられたものである。三方活栓２は、Ｔ字状に配列され他の三方活栓や医療チューブの端部に接続される３つの管部２１，２２，２３を備える。
【００１８】
管部２１は雄管部で他の医療用管具２００の端部に設けられた雌管部が外嵌されるものであり、その先端部は基端から先端に向かって先細となるテーパ状に形成されている。また、管部２１の外周面には径方向外方に張り出す環状の張出部２１ａが形成されている。また、管部２１を内挿する筒状体３が回転自在に設けられている。張出部２１ａを有する管部２１と筒状体３とで実施形態の医療用コネクタ１が構成される。
【００１９】
筒状体３の内周面は、管部２１の基端側から先端側に向かって、小径部３１と大径部３２とに形成されている。小径部３１の先端側には、径方向内方に突出する環状の凸条３１ａ（最小径部）が設けられている。凸条３１ａの内縁の径は、管部２１の外周よりも大きく、且つ張出部２１ａの外縁の径よりも小さく形成されている。この凸条３１ａが張出部２１ａと当接することにより、筒状体３が管部２１の先端から抜けないように係止される。大径部３２には雌ネジ３２ａが形成されている。また、他の２つの管部２２，２３は、雌管部であり、その外周面には雄ネジ２２ａ，２３ａが形成されている。
【００２０】
各管部２１，２２，２３が連結する部分には、各管部２１，２２，２３の軸方向に対して直交する方向に延びて各管部２１，２２，２３に連通する筒部２４が形成されている。図２に示すように、筒部２４には、上端部に平面視でＴ字状のレバー４１を有する円柱部材４が液密に且つ回動自在に内挿されている。円柱部材４には、Ｔ字状のレバー４１に合わせてＴ字状の連通孔４ａが形成されている。レバー４１を回動操作することにより連通孔４ａも回動し、これにより薬液等を流す流路として管部２１，２２，２３を選択することができる。
【００２１】
また、図１に示すように、円柱部材４の下端部は、筒部２４の下方から露出しており、この部分に回転自在にはめ込まれたリング状部材５１が設けられている。リング状部材５１には、筒部２４の外周面で管部２２の反対側に沿うように片部５２が一体に設けられている。片部５２は、リング状部材５１の回転方向に沿って管部２１を上下間に挟みこむように形成された二股部５３を備えている。
【００２２】
二股部５３は、リング状部材５１と一体の片部５２を回動させることにより、管部２１を挟みこんだ状態と管部２１から抜け出した状態とを選択的に切り換えることができる。二股部５３は、管部２１を挟みこんだ状態では、筒状体３の基端縁に接触して筒状体３を管部２１の先端側に押圧し、筒状体３の基端側への移動を阻止すると共に、筒状体３を二股部５３と張出部２１ａとで挟みこむようにして筒状体３の回転を阻止する。管部２１から抜け出した状態では、二股部５３は筒状体３の基端縁と接触せず、筒状体３の基端側への移動を許容する。第１実施形態においては、二股部５３が阻止手段に相当する。
【００２３】
次に、医療用コネクタ１０に他の医療用管具２００を接続する方法について説明する。
【００２４】
まず、他の医療用管具２００の端部に形成された雌管部を管部２１に外嵌させる。そして、筒状体３を回転して、他の医療用管具２００の雌管部の外周面に形成された雄ネジ（図示省略）に筒状体３の雌ネジ３２ａを螺合させる。そして、片部５２を回動させて二股部５３により管部２１を挟みこんだ状態とし、二股部５３を筒状体３の基端縁に接触させて、筒状体３の基端側への移動を阻止すると共に先端側に押圧し、筒状体３を二股部５３と張出部２１ａとで挟持して筒状体３の回転を抑制する。
【００２５】
管部２１から他の医療用管具２００を取り外す際には、片部５２を逆方向に回動させて、二股部５３が管部２１から抜け出した状態とし、二股部５３による筒状体３の押圧を解除する。そして、筒状体３を逆方向に回転させて基端側に移動させ、雌ネジ３２ａと他の医療用管具２００の雄ネジ（図示省略）との螺合を解除する。そして、管部２１から他の医療用管具２００の雌管部を取り外して、医療用コネクタ１０と他の医療用管具２００との接続を解除する。
【００２６】
次に、図３〜５を参照して、第２実施形態の医療用コネクタ１１について説明する。
【００２７】
第２実施形態の医療用コネクタ１１は、第１実施形態の医療用コネクタ１１と同様に三方活栓の端部に設けられたものである。医療用コネクタ１１は、阻止手段として、管部２１の軸線に直交する方向にスライドさせて管部２１を挟持するように差し込まれる板状のＵ字型部材５４（図５）を備える。
【００２８】
Ｕ字型部材５４は、肉厚の厚い肉厚部５４ａと肉厚の薄い肉薄部５４ｂとを有する。そして、管部２１が肉厚部５４ａで挟まれた状態では、筒状体３が肉厚部５４ａと管部２１の張出部２１ａとで挟持されてロックされ、管部２１が肉薄部５４ｂで挟まれた状態では、筒状体３が管部２１の基端側に移動可能で且つ回転自在となる。
【００２９】
また、管部２１の外周面にＵ字型部材５４のスライドを案内するガイドレール２１ｂを設け、Ｕ字型部材５４にガイドレール２１ｂを受け入れる溝部５４ｃを設けて、Ｕ字型部材５４をガイドレール２１ｂに沿うようにスライドさせる。また、ガイドレール２１ｂにより、Ｕ字型部材５４が管部２１に沿って基端側へ移動することを阻止している。図３〜５においては、第１実施形態の医療用コネクタ１０と同一のものについては同一の符号を付している。
【００３０】
医療用コネクタ１１に他の医療用管具２００を接続する方法は、第１実施形態の場合とほとんど同一であり、筒状体３の雌ネジ３２ａを他の医療用管具２００の雄ネジ（図示省略）に螺合させた後、Ｕ字型部材５４をガイドレール２１ｂに沿ってスライドさせ、肉厚部５４ａにより筒状体３の基端側への移動を阻止し先端側に押圧する点のみ異なっている。
【００３１】
第２実施形態の管部２１から他の医療用管具２００を取り外す際には、Ｕ字型部材５４をガイドレール２１ｂに沿って逆方向にスライドさせ、肉薄部５４ｂにより管部２１を挟んだ状態とすればよい。
【００３２】
両実施形態の医療用コネクタ１０，１１によれば、阻止手段としての、二股部５３またはＵ字型部材５４と管部２１の張出部２１ａとで筒状体３を挟み込んで回転を阻止するため、二股部５３またはＵ字型部材５４が筒状体３を押圧する状態であるか否かにより、筒状体３が回り止めされているか否かを容易に確認することができる。また、従来品のように筒状体３の内周面に第２の雄ネジを乗り越えて溝部に嵌合する凸部を形成する必要がないため、操作性を損うことなく確実に筒状体３の回り止めをすることができる。
【００３３】
なお、両実施形態の医療用コネクタは、三方活栓の端部に設けられたものを用いて説明したが、これに限られず、例えば、医療用コネクタは医療用チューブの端部に設けても本発明の効果を得ることができる。また、第２実施形態のガイドレール２１ｂは、単にＵ字型部材５４が管部２１に沿って基端側へ移動することを阻止するだけのものに置き換えてもよい。
【図面の簡単な説明】
【００３４】
【図１】本発明の医療用コネクタの第１実施形態を一部断面で示す正面図。
【図２】第１実施形態の医療用コネクタを示す平面図。
【図３】本発明の医療用コネクタの第２実施形態を示す平面図。
【図４】第２実施形態の医療用コネクタを一部断面で示す正面図。
【図５】第２実施形態の医療用コネクタの阻止手段を示す斜視図。
【符号の説明】
【００３５】
１０，１１…医療用コネクタ、  ２…三方活栓（医療用管具）、  ２１…雄管部、  ２１ａ…張出部、  ２１ｂ…ガイドレール、  ２２…管部、  ２３…管部、  ３…筒状体、  ３１…小径部、  ３１ａ…凸条、  ３２…大径部、  ３２ａ…雌ネジ、  ４…円柱部材、  ４１…レバー、  ５１…リング状部材、  ５２…片部、  ５３…二股部（阻止手段）、  ５４…Ｕ字型部材（阻止手段）、  ５４ａ…肉厚部、  肉薄部５４ｂ、  ５４ｃ…溝部、  ２００…他の医療用管具。
【図１】
0004978366.tif 000002
【図２】
0004978366.tif 000003
【図３】
0004978366.tif 000004
【図４】
0004978366.tif 000005
【図５】
0004978366.tif 000006